【事件の表示】
　特許第３０９６３２６号「内視鏡装置」の請求項１に係る特許に対する特許異議の申立てについて、次のとおり決定する。
【結　論】
　訂正を認める。
　特許第３０９６３２６号の請求項１に係る特許を維持する。
【理　由】
１．手続の経緯
　特許第３０９６３２６号の請求項１に係る発明（以下、本件発明という）は、平成３年９月１２日に特許出願され、平成１２年８月４日にその特許権の設定登録がなされ、その後、異議申立人旭光学工業株式会社（以下、申立人という）から特許異議の申立てがなされ、取消しの理由が通知され、その指定期間である平成１３年９月２１日に訂正請求がなされたものである。
　
２．訂正の適否についての判断
（１）訂正の内容
（ａ）訂正事項ａ
　特許請求の範囲の請求項１の記載について、「・・前記ライトガイドの入射軸に対して放射状に異なる複数の光路領域毎に配置され、前記入射軸に交差する方向に可動可能な複数の絞り羽根・・」とあるのを、「・・前記ライトガイドの入射軸に対して放射状の異なる複数の光路領域毎に配置され、前記ライトガイドの入射端に入射する光量を前記複数の光路領域毎にそれぞれ独立して制御するために、それぞれ前記入射軸に交差する方向に独立して可動可能に設けられた複数の絞り羽根・・」と訂正する。（「ぞれぞれ」は、「それぞれ」の誤記と認める。）
（ｂ）訂正事項ｂ
　明細書の段落【０００６】の記載について、「・・前記ライトガイドの入射軸に対して放射状に異なる複数の光路領域毎に配置され、前記入射軸に交差する方向に可動可能な複数の絞り羽根・・」とあるのを、「・・前記ライトガイドの入射軸に対して放射状の異なる複数の光路領域毎に配置され、前記ライトガイドの入射端に入射する光量を前記複数の光路領域毎にそれぞれ独立して制御するために、それぞれ前記入射軸に交差する方向に独立して可動可能に設けられた複数の絞り羽根・・」と訂正する。（「ぞれぞれ」は、「それぞれ」の誤記と認める。）
（２）訂正の目的の適否、新規事項の有無及び拡張・変更の存否
　上記訂正事項ａは、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、いずれも、新規事項の追加に該当せず、実質的に特許請求の範囲を拡張又は変更するものではない。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．特許異議の申立てについての判断
（１）申立の理由の概要
　異議申立人は、本件発明は、甲第１号証（特開平３−１０９５１５号公報）、甲第２号証（実願昭６０−１０９６１２号（実開昭６２−１９６１４号）のマイクロフィルム）、甲第３号証（特開平２−２８５３３３号公報）に記載された発明に基づいて、当業者が容易に発明をすることができたものであり、本件発明の特許は特許法第２９条第２項の規定に違反してなされたものであるから、特許を取り消すべき旨主張している。
（２）本件発明
　上記２．で示したように上記訂正が認められるから、本件発明は、上記訂正請求に係る訂正明細書の特許請求の範囲の請求項１に記載された事項により特定される次のとおりのものである。
「被検体を撮像する撮像手段を備えた内視鏡装置において、照明光を供給するランプと、前記照明光を入射端面で受光し、出射端面より前記被検体に前記入射端面に対応した光束を照射するライトガイドと、前記ライトガイドの入射軸に対して放射状の異なる複数の光路領域毎に配置され、前記ライトガイドの入射端に入射する光量を前記複数の光路領域毎にそれぞれ独立して制御するために、それぞれ前記入射軸に交差する方向に独立して可動可能に設けられた複数の絞り羽根と、前記複数の光路領域を介して照明光が照射された被検体を内視鏡の観察により得られる前記複数の光路領域毎に対応した複数の観察領域を測光し、前記複数の観察領域毎に複数の光量信号を出力する測光手段と、前記複数の光量信号に応じて、前記複数の絞り羽根を独立して駆動する駆動制御手段と、を備えたことを特徴とする内視鏡装置。」
（３）引用刊行物記載の発明
　当審が通知した取消しの理由に引用された刊行物１（特開平３−１０９５１５号公報：異議申立人の提出した甲第１号証）には、
対象物を撮像するＣＣＤを備えた内視鏡装置において、照明光を供給するランプと、照明光が入射端部から出射端部まで伝送して、照明光を対象物に出射する複数のライトガイドと、前記複数のライトガイドのそれぞれの入射端部に対して独立に駆動可能に設けられた複数のアイリス羽と、前記複数のライトガイドを介して照明光が照射されるエリアに対応する複数の測光エリアを測光し、前記複数の測光エリア毎に複数の低域輝度信号を出力する測光エリア分割部と、前記低域輝度信号に応じて、前記複数のアイリス羽を独立して駆動するアイリスドライバと、を備えたことを特徴とする内視鏡装置。（以下、引用発明という）
が、記載されていると認められる。
　同刊行物２（実願昭６０−１０９６１２号（実開昭６２−１９６１４号）のマイクロフィルム：異議申立人の提出した甲第２号証）には、
　被検体を観察する手段を備えた内視鏡装置において、照明光を供給する光源装置と、前記照明光を他端部で受光し、一端部から被検体に対して照射する光学繊維束と、前記光学繊維束の中央部と周辺部に対応して配置され、前記光学繊維束の他端部に入射する光量を、中央部と周辺部でそれぞれ独立して制御するために、独立して可動可能に設けられた複数の遮蔽板と、前記光学繊維束を介して照明光が照射される中央部と周辺部に対応する領域を測光し、中央部と周辺部それぞれの光量信号を出力するセンサーと、前記中央部と周辺部それぞれの光量信号に応じて、前記複数の遮蔽板を独立して駆動するサーボモータと、を備えたことを特徴とする内視鏡装置。
が、記載されていると認められる。
　同刊行物３（特開平２−２８５３３３号公報：異議申立人の提出した甲第３号証）には、
　入射軸に交差する方向に可動可能に設けられた複数のロータ絞り羽を備えた視野絞り装置を備えた内視鏡装置
が、記載されていると認められる。
　
（４）対比・判断
　引用発明の「対象物」、「ＣＣＤ」、「アイリス羽」、「低域輝度信号」、「測光エリア分割部」、「アイリスドライバ」が、それぞれ、本件発明の「被検体」、「撮像手段」、「絞り羽根」、「光量信号」、「測光手段」、「駆動制御手段」に相当し、また、引用発明と本件発明の「ライトガイド」はともにランプからの光を入射して被検体に照射する点で同一であり、また、引用発明の「測光エリア分割部」と本件発明の「測光手段」はともに撮像画面の複数に分割され、それぞれ独立して照明された領域に対応して測光する点で同一であるから、引用発明と本件発明は、
　被検体を撮像する撮像手段を備えた内視鏡において、照明光を供給するランプと、前記照明光を入射端面で受光し、出射端面より前記被検体に光束を照射するライトガイドと、前記被検体への照射量を複数の領域毎にそれぞれ独立して制御するために、それぞれ独立して可動可能に設けられた複数の絞り羽根と、前記複数の領域毎に照明光が照射された被検体を内視鏡の観察により得られる複数の光量信号を出力する測光手段と、前記複数の光量信号に応じて、前記複数の絞り羽根を独立して駆動する駆動制御手段と、を備えたことを特徴とする内視鏡装置。
で、一致し、
　引用発明では、ライトガイドを複数有し、複数のライトガイドに入射する光量をそれぞれ独立して制御するために、複数のライトガイドの入射端部に対してそれぞれ独立に駆動可能に設けられた複数のアイリス羽を備えるのに対して、本件発明では、ライトガイドを入射軸に対して放射状の複数の光路領域に分割し、ライトガイドに入射する光量を複数の光路領域毎にそれぞれ独立して制御するために、入射端面に対してライトガイドの入射軸に交差する方向に独立して可動可能に設けられた複数の絞り羽根を備える点で、相違する。
　この相違点について検討する。刊行物２に記載された発明は、光学繊維束（ライトガイドに相当）を中央部と周辺部に分割し、被検体への照射光量を中央部と周辺部で独立して制御するために、独立して駆動される遮蔽板（絞り羽根に相当）を備えた内視鏡装置であり、ライトガイドを複数の領域に分割して、複数の絞り羽根により領域毎に独立して照射光量を制御するという技術思想が示されていると認められる。該技術思想を参照すれば、引用発明において、ライトガイドを複数（具体的には４つ）の領域に分割して、領域毎に独立して照射光量を制御しようとすることは、当業者が容易に想到し得ることであり、具体的にライトガイドを４つの領域に分割するには、入射軸に対して放射状の領域に分割しようとすることは、当業者には当然のことである。
　しかし、刊行物２には、ライトガイドを中央部と周辺部に分割した構成に対する絞り羽根の具体的構成が示されるのみであり、ライトガイドを入射軸に対して放射状の領域に分割した構成に対する絞り羽根の具体的構成は示されていないから、刊行物２に記載された発明を参照しても、実際に、ライトガイドを入射軸に対して放射状の領域に分割して、その入射端面に、領域毎に照射光量を独立に制御するための複数の絞り羽根を具体的に構成することは、当業者であっても、容易に想到し得るものではない。
　また、刊行物３に記載された発明は、複数の絞り羽根を独立して駆動するものではないから、刊行物３に記載された、入射軸に交差する方向に可動可能に設けられた複数の絞り羽根を参照してみても、当業者が、ライトガイドの入射端面に対して入射軸に交差する方向に独立して可動可能に設けられた複数の絞り羽根を容易に想到し得るものではない。
　してみると、引用発明、刊行物２及び３に記載された発明から、当業者が、本件発明の、ライトガイドを入射軸に対して放射状の複数の光路領域に分割し、ライトガイドに入射する光量を複数の光路領域毎にそれぞれ独立して制御するために、入射端面に対してライトガイドの入射軸に交差する方向に独立して可動可能に設けられた複数の絞り羽根を備える構成を、容易に発明することはできない。
　
４．むすび
　以上のとおりであるから、異議申立人の理由及び証拠によっては、本件発明についての特許を取り消すことができない。
　また、他に、本件発明についての特許を取り消すべき理由を発見しない。
よって結論のとおり決定する。
【異議決定日】
平成１３年１０月９日（２００１．１０．９）
【訂正の要旨】
訂正の要旨
（１）訂正事項ａ
　特許請求の範囲の請求項１の記載について、「・・前記ライトガイドの入射軸に対して放射状に異なる複数の光路領域毎に配置され、前記入射軸に交差する方向に可動可能な複数の絞り羽根・・」とあるのを、「・・前記ライトガイドの入射軸に対して放射状の異なる複数の光路領域毎に配置され、前記ライトガイドの入射端に入射する光量を前記複数の光路領域毎にぞれぞれ独立して制御するために、それぞれ前記入射軸に交差する方向に独立して可動可能に設けられた複数の絞り羽根・・」と訂正する。
（２）訂正事項ｂ
　明細書の段落【０００６】の記載について、「・・前記ライトガイドの入射軸に対して放射状に異なる複数の光路領域毎に配置され、前記入射軸に交差する方向に可動可能な複数の絞り羽根・・」とあるのを、「・・前記ライトガイドの入射軸に対して放射状の異なる複数の光路領域毎に配置され、前記ライトガイドの入射端に入射する光量を前記複数の光路領域毎にぞれぞれ独立して制御するために、それぞれ前記入射軸に交差する方向に独立して可動可能に設けられた複数の絞り羽根・・」と訂正する。
（５４）【発明の名称】
内視鏡装置
（５７）【特許請求の範囲】
　【請求項１】　被検体を撮像する撮像手段を備えた内視鏡装置において、
　照明光を供給するランプと、
　前記照明光を入射端面で受光し、出射端面より前記被検体に前記入射端面に対応した光束を照射するライトガイドと、
　前記ライトガイドの入射軸に対して放射状
の
前記ライトガイドの入射端に入射する光量を前記複数の光路領域毎にぞれぞれ独立して制御するために、それぞれ
独立して
に設けられた
　前記複数の光路領域を介して照明光が照射された被検体を内視鏡の観察により得られる前記複数の光路領域毎に対応した複数の観察領域を測光し、前記複数の観察領域毎に複数の光量信号を出力する測光手段と、
　前記複数の光量信号に応じて、前記複数の絞り羽根を独立して駆動する駆動制御手段と、
　を備えたことを特徴とする内視鏡装置。
【発明の詳細な説明】
　【０００１】
　【産業上の利用分野】本発明は、内視鏡用照明が被写体の遠近に対応できるようにした内視鏡装置に関する。
　【０００２】
　【従来の技術】体腔内の内視鏡の撮影にあたっては、光源装置からの照明により、被写体を照明して写真フィルム撮影、ＴＶカメラによる撮影をしているが、被写体の画角が大きいと近距離と遠距離が混在してしまい、近距離部分が露出オーバーになり、白く飛んでしまう。従って、被写体情報を正確に記録にとどめて置くことができなかった。これを解決するため、露出アンダー方向の補正をかけて白飛びの防止を行っていた。また、ＴＶカメラの場合は、ピーク測光に切り替えて同様の対応をしてきた。
　【０００３】このような解決手段を講じても、フィルムや撮像素子のラチチュードがせまいために、遠距離部が暗くなり、黒くつぶれてしまうという欠点があり、遠近とも適正な露出、または適正な明るさにするということは不可能とされてきた。
　【０００４】
　【発明が解決しようとする課題】従来の内視鏡装置における照明は、照明範囲ができるだけ一定の明るさになるように配光されている。しかし、一般的に明るさは、距離の２乗に反比例し、そのため近距離にある部分と遠距離にある部分とでは、明るさに差がでてくる。従って、遠距離、近距離が混在する場合、内視鏡像の撮像において、露出オーバー、または露出アンダーとなる部分が発生するという欠点がある。
　【０００５】本発明は、前記事情にかんがみてなされたもので、従来技術では不可能とされていた遠近双方の距離にある被写体を一定以内の明るさに照明し、写真での白飛び、黒つぶれ、ＴＶ画像でのハレーション発生等をなくことができる内視鏡装置を提供することを目的とする。
　【０００６】
　【課題を解決するための手段】上記目的を達成するため本発明による内視鏡装置は、被検体を撮像する撮像手段を備えた内視鏡装置において、照明光を供給するランプと、前記照明光を入射端面で受光し、出射端面より前記被検体に前記入射端面に対応した光束を照射するライトガイドと、前記ライトガイドの入射軸に対して放射状
の
前記ライトガイドの入射端に入射する光量を前記複数の光路領域毎にぞれぞれ独立して制御するために、それぞれ
独立して
に設けられた
前記複数の光路領域を介して照明光が照射された被検体を内視鏡の観察により得られる前記複数の光路領域毎に対応した複数の観察領域を測光し、前記複数の観察領域毎に複数の光量信号を出力する測光手段と、前記複数の光量信号に応じて、前記複数の絞り羽根を独立して駆動する駆動制御手段と、を備えたことを特徴とする。
　【０００７】
　【作用】上記構成において、ランプからの照明光をライトガイドに照射し、前記複数の光路領域を介して照明光が照射された被検体の、内視鏡の観察によって得られる前記複数の光路領域毎に対応した複数の観察領域を測光手段で測光し、前記複数の観察領域毎に出力する光量信号に応じて前記駆動制御手段により前記複数の絞り羽根を、それぞれ独立に駆動する。
　【０００８】
　【実施例】以下、図面を参照し、本発明の実施例について説明する。図１ないし図５は本発明の実施例に係り、図１は本実施例の全体的な概略構成図、図２は撮影範囲の分割状態を示す説明図、図３はカメラ内の受光素子の分割状態を示す説明図、図４は光源装置内の絞り羽根、及びライトガイド端面の分割状態を示した説明図、図５は絞りの制御前後における各エリアとセンサ出力の比との関係を示すグラフである。
　【０００９】図１に示すように、内視鏡装置２０は、被検体３０に挿入して観察を行うための内視鏡１と、この内視鏡１に照明光を供給する光源装置２と、内視鏡１に着脱自在に接続されて、内視鏡観察像を撮像するカメラ３とから構成されている。
　【００１０】前記内視鏡１は、被検体３０へ挿入される挿入部４と、挿入部４の後端に連設され、かつ最後端部に前記カメラ３を接続する接眼部を有する操作部５と、この操作部５の側部から延設されたユニバーサルケーブル６とを備えている。ユニバーサルケーブル６は、前記光源装置２へ接続されている。また、前記挿入部４の先端には、対物レンズ７と、配光レンズ８とが設けられている。
　【００１１】前記配光レンズ８は、その後端に、ライトガイド９の出射端９ａが設けられており、このライトガイド９は、前記挿入部４、操作部５、ユニバーサルケーブル６内を挿通されている。
　【００１２】前記対物レンズ７の後端には、イメージガイド１５の入射端１５ａが配置され、このイメージガイド１５は、前記挿入部４、操作部５の接眼部まで挿通されている。そして、イメージガイド１５の出射端１５ｂは、その後端側に接眼レンズ１６を配置し、この接眼レンズ１６からは、前記被検体３０を肉眼観察できるようになっている。
　【００１３】一方、前記光源装置２は、照明用のランプ１０と、ランプ１０が出射した照明光を集光する集光レンズ１１と、この集光レンズ１１からの照明光の光量を調節する絞り１２とを備えている。集光レンズ１１からの照明光は、絞り１２を経て、前記ライトガイド９の入射端９ｂへ導かれ、出射端から前記被検体３０へ照射されるようになっている。また、光源装置２は、前記絞り１２の絞り量を駆動調整する駆動回路１３と、前記カメラ３からの後述する光量信号により、前記駆動回路１３を制御する制御回路１４とを備えている。
　【００１４】前記絞り１２は、後述する画像範囲の六つに分割想定されたエリアに対応した図４に示す遮蔽部材としての絞り羽根Ａ１ないしＦ１を有している。この絞り羽根Ａ１ないしＦ１は、照明光の光路に対して垂直方向に進退自在に構成されており、前記制御回路１３及び駆動回路１４により、絞り量が制御され、従って照明光量が後述する各照明エリア毎に調整されるようになっている。
　【００１５】また、前記カメラ３は、前記内視鏡１の接眼レンズ１６を経て入射されてくる内視鏡観察光を結像する結像光学系１７と、結像光学系１７を通過した内視鏡観察光を二つに分離するビームスプリッタ１８と、ビームスプリッタ１８が分離した一方の光を受光して撮像するフィルム１９と、ビームスプリッタ１８が分離した一方の光を受光レンズ２０を介して、入射する受光素子２１とを備えている。前記受光素子２１は、後述するように六分割され、それぞれのセンサが前記入射光を電気信号に変換し、カメラ３の受光信号発生回路２２へ出力するようになっている。受光信号発生回路２２は、前記受光素子２１が検知した内視鏡像の光量に応じた六つの電気信号（光量信号）を受け、それぞれ前記光源装置２の制御回路１４へ出力するようになっている。
　【００１６】前記構成において、体腔内３０を内視鏡１で撮影する場合の動作について説明する。光源装置２のランプ１０が出射した照明光は、集光レンズ１１を経て、ライトガイド９の入射端９ｂのわずか手前、すなわち、絞り１２の中心に焦点を結び、そして入射端９ｂへ入射する。ライトガイド９内を導かれた前記照明光は、ライトガイド９の出射端９ａから被検体３０へ照射され、被写体となる被検体３０内を照明する。
　【００１７】被検体３０内からの反射光は、対物レンズ７へ入射する。このとき、対物レンズ７へ入射する反射光の図１に示すθなる画角が、撮影範囲となる。
　【００１８】被検体３０からの反射光は、対物レンズ７を経てイメージガイド１５の入射端１５ａに結像され、イメージガイド１５の出射端１５ｂを経て、カメラ３の結像レンズ１７，ビームスプリッタ１８、及び受光レンズ２０を通過し、受光素子２１に再び結像される。
　【００１９】一方、フィルム１９には、ビームスプリッタ１８を経て分離された前記一方の光が入射し結像し、被検体３０の内視鏡像が写し出される。
　【００２０】ここで、図２には、イメージガイド１５の端面にあって、撮影範囲をエリアＡ０ないしＦ０に六つに分割が想定した状態を示している。画角（立体角）θなる撮影範囲に対し、六つに分割を想定したのは、各Ａ０ないしＦ０のエリア毎に、明るさを求めるためである。そして、六つのエリア毎に光量を求めることにより、全画像範囲において、部分的に露出オーバー、あるいは、露出アンダーがあっても、照明光量を各エリア毎に変えて、ライトガイド１５に供給しようとするものである。
　【００２１】図３には、前記カメラ３内の受光素子２１において、六分割された前記センサａ０ないしｆ０を示している。この各センサは、図２に示す分割された前記撮影範囲のエリアＡ０ないしＦ０に、それぞれ対応している。すなわち、受光素子２１の６つのセンサａ０ないしｆ０と、撮像範囲のエリアＡ０ないしＦ０とを位置的に対応させれば、それぞれの撮影範囲のエリア毎に、その明るさが受光素子２１の各センサで検知される。そして、受光信号発生回路２２は、前記各エリア毎の明るさに対応した六つの光量信号（図５で示すａないしｆ）を得る。
　【００２２】図５は、エリアＡ０ないしＦ０とセンサ出力の比との関係を示し、＊印が絞り制御前、・印が絞り制御後を示している。例えば、撮影範囲のＡ０、Ｂ０、Ｃ０が近点であるとすれば、各信号の平均に対する比は、図５に示す＊−＊で結んだグラフのようになる。
　【００２３】一方、図４は、光源装置２内に設けられ前記絞り１２の絞り羽根Ａ１ないしＦ１を示し、さらに、照明光が入射するライトガイド９の入射端面９ｂを前記エリアＡ０ないしＦ０に対応して、六つの照明光エリアａ１ないしｂ１に分割を想定した状態を示している。
　【００２４】前記受光信号発生回路２２が出力する光量信号ａないしｆは、光源装置２の制御回路１４へ送られ、この制御回路１４は、駆動装置１３を介して、絞り１２の絞り羽根Ａ１ないしＦ１をそれぞれ作動させる。前記受光信号ａないしｆと、各絞り羽根Ａ１ないしＦ１とは、それぞれ対応している。従って、制御回路１４は、前記撮像範囲のエリアＡ０ないしＦ０の明るさに応じて、撮像範囲のエリアが一定の範囲内で均一になるように、それぞれ絞り羽根Ａ１ないしＦ１を作動する。
　【００２５】例えば前述したように、撮影範囲の絞り羽根Ａ０、Ｂ０、Ｃ０が近点の場合、光量が大きくなるので、図４に示すように、前記絞り羽根Ａ１、Ｂ１、Ｃ１を絞る方向、つまり照明エリアａ１，ｂ１，ｃ１を覆うように移動させる。
　【００２６】従来の内視鏡システムにおける照明は、照明範囲ができるだけ一定の明るさになるように配光されている。一般的に明るさは距離の２乗に反比例し、そのため近距離にある部分と遠距離にある部分とでは、明るさに差がでてくる。
　【００２７】これに対し、本実施例においては、撮影範囲を複数に分割し、各エリア毎に明るさを制御し、画角内の明るさを一定以内に納めてようにしている。
　【００２８】前述したように、本実施例では、多分割した撮像範囲に対応する多分割された受光素子２１の各信号を基に、多分割された撮像範囲がそれぞれ適正光量となるように、光量調整用の絞り１２の複数の絞り羽根Ａ１ないしＦ１をそれぞれ別個に駆動制御を行う。従って、撮影範囲が一定範囲の明るさが確保されるため、１枚の画像の中で遠距離、近距離が混在する場合でも、露出オーバー、または露出アンダー部分をなくすることができる。
　【００２９】なお、前記信号ａないしｆと、絞り羽根Ａ１ないしＦ１とが一体一に対応が付いていない場合でも、制御は可能である。例えば、制御回路１４にマイコンを搭載し、リアルタイムで信号ａないしｆを検知し、マイコン制御によりどの羽根を移動させれば良いかを決め、そして信号ａないしｆを一定の比以内に納まるように制御するよにして、実現できる。
　【００３０】また、本実施例では、多分割された受光素子の場合を示したが、ＣＣＤ等のイメージセンサーを使用したＴＶカメラにも適用できることはいうまでもない。
　【００３１】さらに、前記図示例では、前記撮像範囲のエリア、受光素子２１のセンサ、絞り１２の絞り羽根、及び照明エリアをそれぞれ六つとしているが、この数に限定されるものではない。また、前記撮像範囲のエリア等は、特に均等分割されていなくてもよい。
　【００３２】
　【発明の効果】本発明によれば、撮影範囲が一定範囲の明るさが確保されるため、１枚の画像の中で遠距離、近距離が混在する場合でも、露出オーバー、または露出アンダー部分がなくすることができるという効果がある。
【図面の簡単な説明】
　【図１】図１は本実施例の全体的な概略構成図。
　【図２】図２は撮影範囲の分割状態を示す説明図。
　【図３】図３はカメラ内の受光素子の分割状態を示す説明図。
　【図４】図４は光源装置内の絞り羽根、及びライトガイド端面の分割状態を示す説明図。
　【図５】図５は絞りの制御前後における各エリアとセンサー出力の比とを示すグラフ。
　【符号の説明】
１…内視鏡
２…光源装置
３…カメラ
７…対物レンズ
９…ライトガイド
１０…ランプ
１１…集光レンズ
１２…絞り
Ａ１ないしＦ１…絞り羽根
１３…駆動回路
１４…制御回路
１６…接眼レンズ
１５…イメージガイド
１７…結像レンズ
１８…ビームスプリッタ
１９…フィルム
２１…受光素子
ａ０ないしｆ０…センサ
２２…受光信号発生回路
３０…被検体